(57)【要約】【課題】積層状態で相対配置された第１トレイ部と第２トレイ部を備えた搬送装置において、被搬送材を搬送する使用可能状態と、非使用状態においては異物が不用意に進入しないように両方の送り用開口部を塞いでおける構造を構築するに際して、各構成部材の役割分担において無駄が発生しない搬送装置を提供すること。【解決手段】積層状態で相対配置された第１トレイ部19及び第２トレイ部23と、前記各トレイ部が有する第１送り用開口部21及び第２送り用開口部25とを備え、前記第１トレイ部は変位可能な第１可動トレイ部29を備え、前記第２トレイ部は変位可能な第２可動トレイ部49を備え、前記両可動トレイ部29,49は、被搬送材を送り可能なトレイ構成部材としてのトレイ姿勢と、該トレイ姿勢から変位して前記第１送り用開口部と第２送り用開口部を塞ぐと共にハウジング構成部材に変わるハウジング姿勢をとるように構成した。【選択図】図３
2009137686.tif 000002
【特許請求の範囲】
【請求項１】
積層状態で相対配置された第１トレイ部及び第２トレイ部と、
前記第１トレイ部が有する第１送り用開口部と、
前記第２トレイ部が有する第２送り用開口部と、
前記第１送り用開口部と第２送り用開口部との間に形成される被搬送材の搬送経路とを備え、
前記第１トレイ部は、変位可能な第１可動トレイ部を備え、
前記第２トレイ部は、変位可能な第２可動トレイ部を備え、
前記第１可動トレイ部と第２可動トレイ部は、被搬送材を送り可能なトレイ構成部材としてのトレイ姿勢と、該トレイ姿勢から変位して前記第１送り用開口部と第２送り用開口部を塞ぐと共にハウジング構成部材に変わるハウジング姿勢をとるように構成されていることを特徴とする搬送装置。
【請求項２】
請求項１に記載の搬送装置において、前記第１可動トレイ部と第２可動トレイ部は、前記ハウジング姿勢をとる状態では、両者の外表面が一連に隣り合う配置となって前記ハウジング構成部材に変わるように構成されていることを特徴とする搬送装置。
【請求項３】
請求項２に記載の搬送装置において、前記第１可動トレイ部と第２可動トレイ部は、基端部側を回動支点にして自由端部側が回動可能であり、前記ハウジング姿勢をとる状態では、前記第１可動トレイ部の前記基端部と前記第２トレイ部の前記自由端部とが、一連に隣り合う配置となって前記ハウジング構成部材に変わるように構成されていることを特徴とする搬送装置。
【請求項４】
請求項３に記載の搬送装置において、
前記第１可動トレイ部は、前記自由端部が、前記トレイ姿勢で使用される面と前記ハウジング姿勢で使用される面が表裏反転するように回動し、
前記第２可動トレイ部は、前記自由端部が、前記第２送り用開口部に面した状態のまま、該第２送り用開口部を開口状態にする当該第２送り用開口部の一辺側の位置と、前記第２送り開口を塞いだ状態にする当該第２送り用開口部の他辺側の位置との間で回動して前記トレイ姿勢で使用される面と前記ハウジング姿勢で使用される面が同じになるように構成されていることを特徴とする搬送装置。
【請求項５】
請求項３または４に記載の搬送装置において、前記第１可動トレイ部を回動変位させると前記第２可動トレイ部が連動して変位する連動機構を備えていることを特徴とする搬送装置。
【請求項６】
請求項５に記載の搬送装置において、
前記連動機構は、前記第１可動トレイ部の前記基端部に連動作用部を備え、
該連動作用部は、前記第１可動トレイ部が閉方向に回動変位する際に前記第２可動トレイの前記自由端部に作用して当該自由端部を移動させ、且つ閉方向の回動終点において該第２可動トレイ部を前記ハウジング姿勢に保持するように構成されていることを特徴とする搬送装置。
【請求項７】
積層状態で相対配置された第１トレイ部及び第２トレイ部と、前記第１トレイ部が有する第１送り用開口部と、前記第２トレイ部が有する第２送り用開口部と、前記第１送り用開口部と第２送り用開口部との間に形成される被搬送材の搬送経路とを備える搬送装置と、
前記搬送経路の途中に設けられ、搬送される被搬送材との間で画像処理を行う画像処理実行部を備えた画像処理装置であって、
前記搬送装置は請求項１〜６のいずれか１項に記載の搬送装置であることを特徴とする画像処理装置。
【発明の詳細な説明】
【技術分野】
【０００１】
本発明は、積層状態で相対配置された第１トレイ部及び第２トレイ部と、前記第１トレイ部が有する第１送り用開口部と、前記第２トレイ部が有する第２送り用開口部と、前記第１送り用開口部と第２送り用開口部との間に形成される被搬送材の搬送経路とを備えた搬送装置及び該搬送装置を備えた画像処理装置に関する。
【０００２】
ここで、「画像処理装置」とは、被搬送材である原稿に記録されている画像情報を読み取るスキャナ等の画像読取り装置、被記録材に画像を記録するラインプリンタやシリアルプリンタ等の画像記録装置、更にこれらの装置の機能を兼ね備えたプリンタ複合機、ファクシミリ、複写機等の、搬送される被搬送材との間で所定の画像処理を行う各種装置を含む概念で用いられている。
【背景技術】
【０００３】
この種の搬送装置の従来技術として、例えば特許文献１に開示されているファクシミリに設けられている搬送装置を挙げることができる。この搬送装置は、ハウジング内に送り込まれる被搬送材をセットするための給送用トレイ部と、ハウジング外に排出される前記被搬送材を受けるための排出用トレイ部とが上下に積層配置されている。前記給送用トレイ部と排出用トレイ部がそれぞれ有する入口用開口部と出口用開口部は、その位置が上下方向には異なるが被搬送材の搬送方向に対しては同じ位置、すなわち両者の開口面が同一面上に位置して開口されている。
【０００４】
前記搬送装置は、前記給送用トレイ部が、そのハウジング内にスライド可能なスライド部を有するスライド構造になっている。そして該給送用トレイ部は、前記スライド部を前記入口用開口部から引き出した状態が被搬送材を搬送するときの使用可能状態、該スライド部をハウジング内に押し込んだ状態が被搬送材を搬送しないときの非使用状態となるように構成されている。前記使用可能状態において、前記排出用トレイ部には構造的変化はないが、給送用トレイ部は引き出された前記スライド部の分だけ全長が長くなる構成である。
【０００５】
前記スライド部の先端には前記開口部を塞ぐための単一のカバー部材が回動可能に取り付けられている。該カバー部材は、前記スライド部をハウジング内に押し込んだときに前記入口側開口部及び出口側開口部の両方に当接し、その両方を同時に塞ぐようになっている。前記両開口部を塞いだ状態が非使用状態であり、非使用時に両開口部から異物が不用意に進入しないようになっている。一方、前記スライド部をハウジング内から引き出した状態で前記カバー部材を開く方向に回動させると、当該給送用トレイ部は前記使用可能状態になる。
【０００６】
当該搬送装置をユーザーが使用するときは、先ず前記スライド部をハウジング内から引き出して前記両開口部を開口させる第１アクションと、この第１アクションに続いて前記カバー部材を開く第２アクションがとられて当該装置が使用可能な状態に移行される。そして、引き出されて長くなった給送用トレイ部に被搬送材がセットされ、送り手段（送りローラ）の駆動によりハウジング内を搬送される。被搬送材はハウジング内における搬送経路の途中で、ファクシミリとしての画像処理が行われると共にＵターンされ、上層に位置する排出用トレイ部に排出される。
【特許文献１】特開平５−１４５９３号公報
【発明の開示】
【発明が解決しようとする課題】
【０００７】
前記特許文献１に記された搬送装置は、前記の通り前記給送用トレイ部のスライド構造と、更にスライド部の先端に開閉可能に設けたカバー部材とによって、その使用可能状態と非使用状態の切り換えを行うようになっている。しかし、このスライド構造では、スライド部のスライドに基づく構造変化が大きいと共に、前記スライド部が引き出されて全長が長くなった分だけ、当該搬送装置の重心が移動する。そのため、その重心移動を踏まえつつ、引き出した状態において当該スライド部の姿勢を安定して保持できるようにする等の構造的工夫が必要となり、構造が複雑化する問題がある。
【０００８】
また、前記スライド構造では、スライド部がハウジング内から引き出された状態においては、その底面部は引き出された位置における被搬送材の唯一の載置面としての役割を果しているが、ハウジング内に押し込まれた収納状態では、ハウジングの底面部と上下２層に重なって重複した存在となっており、その位置においては特段の役割を有しない無用の部材になってしまっている。すなわち、スライド構造では、各構成部材の役割分担において無駄が発生する問題があった。この無駄は各構成部材の材料使用量の無用な増加、また装置全体としての総重量の無用な増加に繋がる。
【０００９】
更に、前記搬送装置は、前記の通り、カバー部材によって入口用開口部と出口用開口部の両方が塞がれた非使用状態から前記両開口部を開口させて使用可能状態に移行するに際して、スライド部を引き出す動作と、それに続くカバー部材を開く動作の２アクションが必要であるため、操作性に劣る問題があった。
【００１０】
本発明の課題は、積層状態で相対配置された第１トレイ部と第２トレイ部を備えた搬送装置において、被搬送材を搬送する使用可能状態においては前記各トレイ部が有する第１送り用開口部と第２送り用開口部を開口させておき、一方該搬送装置を使用しない非使用状態においては異物が不用意に進入しないように前記第１送り用開口部と第２送り用開口部の両方を塞いでおける構造を構築するに際して、以下のことを実現することにある。すなわち、特許文献１のスライド構造に基づく欠点を解消し、構造が複雑化せず、また各構成部材の役割分担において無駄が発生しない搬送装置及び該搬送装置を備えた画像処理装置を提供することにある。
【００１１】
また、本発明の課題は、前記非使用状態から前記使用可能状態に移行するに際して、更にはその逆方向に移行するに際して、その移行を１アクションで行うことができ、以て操作性を良好にした搬送装置および該搬送装置を備えた画像処理装置を提供することにある。
【課題を解決するための手段】
【００１２】
前記課題を解決するために本発明の第１の態様に係る搬送装置は、積層状態で相対配置された第１トレイ部及び第２トレイ部と、前記第１トレイ部が有する第１送り用開口部と、前記第２トレイ部が有する第２送り用開口部と、前記第１送り用開口部と第２送り用開口部との間に形成される被搬送材の搬送経路とを備え、前記第１トレイ部は、変位可能な第１可動トレイ部を備え、前記第２トレイ部は、変位可能な第２可動トレイ部を備え、前記第１可動トレイ部と第２可動トレイ部は、被搬送材を送り可能なトレイ構成部材としてのトレイ姿勢と、該トレイ姿勢から変位して前記第１送り用開口部と第２送り用開口部を塞ぐと共にハウジング構成部材に変わるハウジング姿勢をとるように構成されていることを特徴とするものである。
【００１３】
本態様によれば、第１可動トレイ部と第２可動トレイ部は、被搬送材を送り可能なトレイ構成部材としての元々のトレイ姿勢と、該トレイ姿勢から変位して前記第１送り用開口部と第２送り用開口部の両方を塞ぐと共にハウジング構成部材に変わるハウジング姿勢をとるように構成されている。従って、使用可能状態においては前記各開口部の両方を開口させておき、一方非使用状態においては異物が不用意に進入しないように前記各開口部の両方を塞いでおける構造を構築するに際して、従来のスライド構造のように構造が複雑化することがない。また第１可動トレイ部と第２可動トレイ部は、前記使用可能状態のときはトレイ構成要素としての役割を果たしており、一方前記非使用状態のときは前記開口部を塞ぐと共にハウジング構成部材に変わってハウジングとしての役割を果たしており、各構成部材の役割分担において無駄が発生しない。
【００１４】
本発明の第２の態様は、第１の態様の搬送装置において、前記第１可動トレイ部と第２可動トレイ部は、前記ハウジング姿勢をとる状態では、両者の外表面が一連に隣り合う配置となって前記ハウジング構成部材に変わるように構成されていることを特徴とするものである。
【００１５】
本態様によれば、前記第１可動トレイ部と第２可動トレイ部は、変位してハウジング構成部材に変わるときは、両者の外表面が一連に隣り合う配置となるので、ハウジング構成部材に変わった状態において露呈する両者の外表面について一連の統一した外観設計が可能となり、外観の付加価値を高めることができる。ここで、両者の外表面を面一にすると一層良い。
【００１６】
本発明の第３の態様は、第２の態様の搬送装置において、前記第１可動トレイ部と第２可動トレイ部は、基端部側を回動支点にして自由端部側が回動可能であり、前記ハウジング姿勢をとる状態では、前記第１可動トレイ部の前記基端部と前記第２トレイ部の前記自由端部とが、一連に隣り合う配置となって前記ハウジング構成部材に変わるように構成されていることを特徴とするものである。
【００１７】
本態様によれば、回動変位によってハウジング構成部材に変わったときに、前記第１可動トレイ部の前記基端部と前記第２トレイ部の前記自由端部とが、一連に隣り合う配置となる。すなわち、第１可動トレイ部の基端部と前記第２トレイ部の自由端部とが隣り合って近接配置されるので、第１可動トレイ部の回動に第２可動トレイ部の回動を連動させる場合に、その連動機構を構造簡単にして設けることができる。
【００１８】
本発明の第４の態様は、第３の態様の搬送装置において、前記第１可動トレイ部は、前記自由端部が、前記トレイ姿勢で使用される面と前記ハウジング姿勢で使用される面が表裏反転するように回動し、前記第２可動トレイ部は、前記自由端部が、前記第２送り用開口部に面した状態のまま、該第２送り用開口部を開口状態にする当該第２送り用開口部の一辺側の位置と、前記第２送り開口を塞いだ状態にする当該第２送り用開口部の他辺側の位置との間で回動して前記トレイ姿勢で使用される面と前記ハウジング姿勢で使用される面が同じになるように構成されていることを特徴とするものである。
【００１９】
本態様によれば、当該搬送装置の非使用状態では前記のように一連に隣り合ってハウジング構成部材を構成しているが、使用可能状態では、第１可動トレイ部は回動により表裏反転してトレイ構成要素に戻り、一方第２可動トレイ部は使用される面が同じまま短い範囲（第２送り用開口部の開口領域の範囲内）で回動してトレイ構成要素に戻り、これにより、当該第１可動トレイ部が第２可動トレイ部とオーバーラップした積層配置となる。従って、第１トレイ部と第２トレイ部が積層状態で相対配置された搬送装置に対して、前記両トレイ部が有する第１送り用開口部と第２送り用開口部の両方を開閉して、その使用可能状態と非使用状態を切り換える構造を構築するに際して、無駄のない理にかなった簡単な構造で達成できている。更に、被搬送材のセットや取り出しも容易な構造であり、操作性も良い。
【００２０】
本発明の第５の態様は、第３の態様又は第４の態様の搬送装置において、前記第１可動トレイ部を回動変位させると前記第２可動トレイ部が連動して変位する連動機構を備えていることを特徴とするものである。
【００２１】
本態様によれば、第１可動トレイ部を回動変位させると第２可動トレイ部が連動して変位するので、１アクションで前記使用可能状態と非使用状態を切り換えることができ、操作性が良い。
【００２２】
本発明の第６の態様は、第５の態様の搬送装置において、前記連動機構は、前記第１可動トレイ部の前記基端部に連動作用部を備え、該連動作用部は、前記第１可動トレイ部が閉方向に回動変位する際に前記第２可動トレイの前記自由端部に作用して当該自由端部を移動させ、且つ閉方向の回動終点において該第２可動トレイ部を前記ハウジング姿勢に保持するように構成されていることを特徴とするものである。
【００２３】
本態様によれば、連動機構を簡単な構成で構築することができ、また、ユーザーの操作性も第１可動トレイ部を回動させるだけでトレイ姿勢とハウジング姿勢が自動的に切り換わるため、良好である。
【００２４】
本発明の第７の態様は、積層状態で相対配置された第１トレイ部及び第２トレイ部と、前記第１トレイ部が有する第１送り用開口部と、前記第２トレイ部が有する第２送り用開口部と、前記第１送り用開口部と第２送り用開口部との間に形成される被搬送材の搬送経路とを備える搬送装置と、前記搬送経路の途中に設けられ、搬送される被搬送材との間で画像処理を行う画像処理実行部を備えた画像処理装置であって、前記搬送装置は第１の態様から第６の態様のいずれか１つの搬送装置であることを特徴とするものである。  
本態様によれば、画像処理装置として、前記各態様の作用効果を得ることができ、またコンパクトでデザイン性及び操作性に優れた画像処理装置を提供することができる。
【発明を実施するための最良の形態】
【００２５】
以下、本願発明に係る搬送装置、該搬送装置を備えた画像処理装置について説明する。図１は画像処理装置としてのプリンタ複合機の非使用状態のときの外観を示す斜視図、図２は同複合機の使用可能状態のときの外観を示す斜視図である。図３は非使用状態（第１可動トレイ部と第２可動トレイ部がハウジング姿勢）の搬送装置を示す側断面図、図４は第１可動トレイ部と第２可動トレイ部が変位途中にあるときの搬送装置を示す側断面図、図５は使用可能状態（同トレイ姿勢）の搬送装置を示す側断面図である。図６は第１可動トレイ部と第２可動トレイ部が変位途中にあるときの連動作用部周辺を拡大して示す斜視図、図７は第１可動トレイ部と第２可動トレイ部が使用可能状態にあるときの連動作用部周辺を拡大して示す斜視図である。
【００２６】
最初に、本願発明の画像処理装置を実施するための最良の形態としてインクジェットプリンタの上部にスキャナを搭載したプリンタ複合機について、その全体構成の概略を簡単に説明する。
【００２７】
プリンタ複合機３００は、原稿Ｇの画像読取り面Ａに記録されている画像情報Ｃを読み取り、電子データに変換する画像読取り装置としての機能と、変換した電子データあるいは別途提供される電子データに基づいて被記録材（以下用紙ともいう）Ｐの被記録面Ｄに画像Ｅを記録する画像記録装置としての機能を併せ持っている。ここで、画像記録装置はインクジェットプリンタ１００であり、画像読取り装置はスキャナ２００である。また、このプリンタ複合機３００は、上述した異なる２種類の画像処理を複合的に実行することによって更に複写機としての機能も保有するようになっている。
【００２８】
図１と図２に示したように、インクジェットプリンタ１００は、プリンタ本体２の前面に操作パネル３、排出用スタッカ５及びメモリカード挿入口７が配設されており、プリンタ本体２の下部に多数枚の用紙Ｐを積畳状態でセットし得る給送用カセットが着脱可能に装着されている。そして、給送用カセット内にセットされた用紙Ｐは、図示しない搬送手段によって図示しない記録ヘッドが設けられている記録ポジションに導かれ、用紙Ｐの被記録面Ｄに画像Ｅが記録され、排出用スタッカ５上の載置面６上に排出されスタックされる。
【００２９】
一方、スキャナ２００は、原稿Ｑすなわち被搬送材Ｇを給送するための給送部１１と、該給送部１１の下部に位置して被搬送材Ｇを排出するための排出部１３とが積層状態で相対配置されている。前記給送部１１と排出部１３の左端部に該給送部１１と排出部１３とを接続する反転部１５が設けられている。また、給送部１１には第１トレイ部である給送用トレイ部１９が設けられており、該給送用トレイ部１９とハウジング１７との間の部分に第１送り用開口部である給送用開口部２１が設けられている。
【００３０】
また、排出部１３には第２トレイ部である排出用トレイ部２３が設けられており、該排出用トレイ部２３と前記給送用トレイ部１９との間の部分に第２送り用開口部である排出用開口部２５が設けられている。また、前記反転部１５には、前記給送用開口部２１と排出用開口部２５との間に設けられている折返しループ形状の図中矢印Ｈで示す搬送経路と、該搬送経路Ｈ上を搬送される被搬送材Ｇに光を照射させて該被搬送材Ｇの画像読取り面Ａに記録されている画像情報Ｃを直接読み取る感光体ユニット（図示せず）とが設けられている。そして、画像読取り面Ａを例えば上にして給送用トレイ部１９上にセットされた被搬送材Ｇは、給送用開口部２１からハウジング１７内に取り込まれ、反転部１５において画像読み取り処理と同時に反転されて、排出用開口部２５からハウジング１７外に排出され、排出用トレイ部２３上に画像読取り面Ａを下、裏面Ｂを上にした反転された姿勢で排出される。
【００３１】
［実施例］
以下、プリンタ複合機３００のスキャナ２００に対して一例として適用し得る本発明の搬送装置１について図３から図７に基づいて詳細に説明する。
【００３２】
本実施例に係る搬送装置１は、上述した給送用トレイ部（第１トレイ部）１９と、排出用トレイ部（第２トレイ部）２３と、給送用開口部（第１送り用開口部）２１と、排出用開口部（第２送り用開口部）２５と、搬送経路Ｈとを備えることによって基本的に構成されている。給送用トレイ部１９は、ハウジング１７と一体の固定トレイ部２７と、ハウジング１７と別体の変位可能な第１可動トレイ部２９を備えている。固定トレイ部２７は、搬送方向Ｆに行くに従って徐々に低くなるように傾斜姿勢で設けられている矩形平板状の部材によって構成されている。そして、固定トレイ部２７の前後の端縁には、被搬送材Ｇの左右の側縁（エッジともいう）を規制するエッジガイド３１、３１が対向するように一対設けられている（図２参照）。
【００３３】
固定トレイ部２７の上方には、図３〜図５に示すように、右方に向かって庇状に張り出した張出し部３３が設けられており、該張出し部３３は前記反転部１５を覆うハウジングの一部になっている。そして、前記張出し部３３と、固定トレイ部２７とによって上下を区画された矩形状の開口が給送用開口部２１になっている。また、前記張出し部３３の先端部には後述する第１可動トレイ部２９の回動自由端部３７の下面部に当接する係止段部３９が設けられている。該係止段部３９の中央には、非使用状態の姿勢にある給送用トレイ部１９の第１可動トレイ部２９の部分を拡開する場合に指を掛け易くするための凹陥部４１が設けられている。
【００３４】
第１可動トレイ部２９は、図３に示す非使用状態の姿勢にあるときに、上に僅かに凸となる湾曲した矩形板によって構成されている。第１可動トレイ部２９は、基端部３８側を第１回動支点４３にして自由端部３７側が回動可能であるが、前記第１回動支点４３は前記固定トレイ部２７の搬送方向上流側の端部に設けられている。そして、該第１回動支点４３を回動中心としてハウジング１７に対して一例として約１７０°程度の範囲に亘って自由端部３７側が回動するようになっている。  
すなわち、第１可動トレイ部２７は、自由端部３７が、前記トレイ姿勢で使用される面と前記ハウジング姿勢で使用される面が表裏反転するようになっている。そして、回動終点のトレイ姿勢では固定トレイ部２７と第１可動トレイ部２９で作られる給送用トレイ部１９の上面は面一に連なるようになっている。
【００３５】
また、前記基端部３８には、第１回動支点４３を挟んで前記自由端部３７と反対側に延びるように連動作用部の一例である掬い上げフック４５が設けられている。該掬い上げフック４５は、図５に示す使用可能状態の姿勢から図４に示す変位途中の姿勢を経て図３に示す非使用状態の姿勢に前記第１可動トレイ部２９が移行するときに、後述する排出用トレイ部（第２トレイ部）２３の第２可動トレイ部４９の自由端部５１に作用して当該自由端部５１を上方に掬い上げる役割を有している。また、掬い上げフック４５は、図５に示す使用可能状態の姿勢にあるときには、上述したエッジガイド３１、３１に沿うようにその外方に設けられているストッパ５７の下面に当接することで、第２可動トレイ部２９の使用姿勢における傾斜角度を設定する役割も有している。
【００３６】
排出用トレイ部２３は、ハウジング１７と一体の固定トレイ部４７と、ハウジング１７と別体の変位可能な第２可動トレイ部４９とを備えている。固定トレイ部４７は、上面が搬送面になっていて、搬送方向Ｒに行くに従って徐々に高くなる傾斜面になっている。そして、固定トレイ部４７の搬送方向の下流側の端部には、上述した第２可動トレイ部２９における掬い上げフック４５の円滑な回動を可能にするための円弧状に抉られた逃げ部４８が形成されている。また、固定トレイ部４７の上方には、上述した給送用トレイ１９における固定トレイ部２７が位置しており、上下の固定トレイ部２７、４７によって区画された矩形状の開口が排出用開口部２５になっている。
【００３７】
一方、第２可動トレイ部４９は、図３〜図５に示すように、下に僅かに凸となる湾曲した矩形板によって構成されている。第２可動トレイ部４９は基端部２４側を第２回動支点５５にして自由端部５１側が回動可能であるが、前記第２回動支点５５はハウジング１７の右端部近傍に設けられている。そして、基端部２４側を回動支点５５としてハウジング１７に対して一例として約１０°程度の短い範囲で自由端部５１側が回動するようになっている。  
すなわち、第２可動トレイ部４９は、自由端部５１が、排出用開口部２５に面した状態のまま、排出用開口部２５を開口状態にする当該排出用開口部２５の一辺側（下辺側）の位置と、前記排出用開口部２５を塞いだ状態にする当該排出用開口部２５の他辺側（上辺側）の位置との間で回動して前記トレイ姿勢で使用される面と前記ハウジング姿勢で使用される面が同じになるように構成されている。そして、回動終点のトレイ姿勢では固定トレイ部４７と第２可動トレイ部４９で作られる排出用トレイ部２３の上面は面一に連なるようになっている。
【００３８】
また、第２可動トレイ部４９の自由端部５１の下面には、上述した第２可動トレイ部２９の基端部３８に設けられている掬い上げフック４５先端の爪部４６を受け入れる係止凹部５３が設けられている。
【００３９】
本実施例の搬送装置１は、前記構成の給送用トレイ部１９と排出用トレイ部２３とを備えることによって給送用トレイ部１９の第１可動トレイ部２９を拡開方向Ｌに回動させると、これに連動して排出用トレイ部２３の第２可動トレイ部４９も拡開方向Ｎに回動し、被搬送材である原稿Ｇをセットし、搬送可能な使用可能状態の姿勢に移行するように構成されている。一方、給送用トレイ部１９の第１可動トレイ部２９を閉塞方向Ｍに回動させると、これに連動して排出用トレイ部２３の第２可動トレイ部４９も閉塞方向Ｑに回動し、前記給送用開口２１と排出用開口２５とを塞いで非使用状態の姿勢に移行するように構成されている。
【００４０】
そして、前記非使用状態の姿勢では、第１可動トレイ部２９と第２可動トレイ部４９はハウジング姿勢をとってハウジング構成部材に変わっているが、そのとき両者の外表面が一連に隣り合うと共に、互いに面一となるように構成されている。これにより、その両者の外表面について一連の統一した外観設計が可能となっている。
【００４１】
また、本実施例では、給送用トレイ部１９の第１可動トレイ部２９と排出用トレイ部２３の第２可動トレイ部４９を非使用状態の姿勢に移行させた図３に示す状態では、第１可動トレイ部２９と第２可動トレイ部４９のそれぞれは、その外表面が周囲のハウジング１７と面一になり、滑らかに連続した美しい曲面形状が形成されるようになっている。
【００４２】
次に、上記構成の搬送装置１の作用について、（１）使用可能状態への移行時と（２）非使用状態への移行時に分けて説明する。
【００４３】
（１）使用可能状態への移行時（図３〜図５参照）
図３に示す非使用状態の給送用トレイ部１９と排出用トレイ部２３を図５に示す使用可能状態の姿勢に移行する場合である。この場合には、張出し部３３の中央に形成されている凹陥部４１に指等を入れ、第１可動トレイ部２９の自由端部３７側を上方に引き上げて拡開方向Ｌに回動させる。第１可動トレイ部２９の回動に伴って該第１可動トレイ部２９の基端部３８に設けられている掬い上げフック４５が下方に移動するため、これに伴って排出用トレイ部２３の第２可動トレイ部４９も拡開方向Ｎ（第１可動トレイ部２９の拡開方向Ｌと逆方向）に回動する。
【００４４】
図４に示す回動途中の状態に至ると、第２可動トレイ部２９の掬い上げフック４５は排出用トレイ部２３における固定トレイ部４７の先端部に形成されている逃げ部４８内に進入し、前記固定トレイ部４７に干渉されることなく回動を継続する。一方、排出用トレイ２３部の第２可動トレイ部４９は自由端部５１が前記固定トレイ部４７の先端部に当接するため回動は停止される。
【００４５】
更に、給送用トレイ部１９の第１可動トレイ部２９を拡開方向Ｌに回動させて行くと、第２可動トレイ部２９のみが回動し、前記掬い上げフック４５における爪部４６の基部面４６ａがストッパ５７の下面に当接した図５に示す状態で第１可動トレイ部２９の回動は停止される。尚、図５に示す状態では給送用開口部２１と排出用開口部２５は、共に拡開状態になり、給送用トレイ部１９と排出用トレイ部２３のそれぞれの固定トレイ部２７、４７と第１可動トレイ部２９、第２可動トレイ部４９は互いに連接し被搬送材Ｇを搬送可能な使用姿勢となる。
【００４６】
（２）非使用状態への移行時（図３〜図５参照）
図５に示す使用可能状態の姿勢の給送用トレイ部１９と排出用トレイ部２３を図３に示す非使用状態の姿勢に移行する場合である。この場合には拡開状態の第１可動トレイ部２９の自由端部３７を持って第１可動トレイ部２９を閉塞方向Ｍに回動させる。図４に示す回動途中の状態に至ると、第１可動トレイ部２９の掬い上げフック４５が排出用トレイ部２３における第１可動トレイ部４９の自由端部５１に当接するようになる。
【００４７】
更に第１可動トレイ部２９を閉塞方向Ｍに回動させて行くと、前記掬い上げフック４５によって第２可動トレイ部４９の回動自由端５１が掬い上げられるようにして上方に移動するようになり、第２可動トレイ部４９は閉塞方向Ｑ（第１可動トレイ部２９の閉塞方向Ｍと逆方向）に回動する。そして、第１可動トレイ部２９の自由端部３７の下面が前記張出し部３３の先端部に形成されている係止段部３９に当接したところで第１可動トレイ部２９の回動は停止される。
【００４８】
また、この状態では、掬い上げフック４５の爪部４６の先端４６ｂが第２可動トレイ部４９の自由端部５１の下面に形成されている係止凹部５３内に進入し、該第２可動トレイ部４９は第１可動トレイ部２９によって下方から支持された状態になっている。そして、図３に示す非使用状態では、給送用開口部２１は第１可動トレイ部２９によって、排出用開口部２５は第２可動トレイ部４９によってそれぞれ塞がれた状態になっており、これら第１可動トレイ部２９及び第２可動トレイ部４９がハウジング構成部材に変わった状態において、そのハウジングとしての外表面には滑らかに連続した美しい曲面の外観が形成されるようになっている（図１）。
【００４９】
［他の実施例］
本願発明に係る搬送装置１、該搬送装置１を備えた画像処理装置は、以上述べたような構成を基本とするものであるが、本願発明の要旨を逸脱しない範囲内の部分的構成の変更や省略等を行うことも勿論可能である。
【００５０】
例えば、搬送装置１の構成部材である第１トレイ部は、上記実施例の給送用トレイ部１９に限らず、排出用トレイ部２３であっても構わない。同様に第２トレイ部は排出用トレイ部２３に限らず、給送用トレイ部１９であってもよい。また、トレイの数は２つに限らず３つ以上でもよく、例えば排出用トレイ部２３を複数設けて被搬送材の種類ごとに分けて排出させるように構成することも可能である。また、連動機構も上記掬い上げフックに限定されず、公知の連動機構を適用できる。また、連動機構を設けないでそれぞれ独立して変位できるように構成することも可能である。
【００５１】
また、図８に示すように、第１可動トレイ部２９と第２可動トレイ部４９は、非使用状態のハウジング姿勢にあるときに、その外表面が互いに面一になっていなくてもよく、若干の段差５９が形成されているものであっても構わない。また、第１トレイ部と第２トレイ部のそれぞれの可動トレイ部２９、４９の形状は、湾曲した曲板形状に限らず平板形状等、種々の形状が採用可能であり、回動途中の可動トレイ部２９、４９の不用意な回動を防止するためのダンパ装置や可動トレイ部２９、４９の各姿勢をロックするためのロック装置等を設けることも可能である。この他、本発明の搬送装置１はプリンタ複合機３００に限らず、スキャナ２００単体やファクシミリあるいは複写機等の搬送装置としても適用可能である。
【図面の簡単な説明】
【００５２】
【図１】画像処理装置としてのプリンタ複合機の非使用状態の外観を示す斜視図。
【図２】同複合機の使用可能状態のときの外観を示す斜視図。
【図３】第１可動トレイ部と第２可動トレイ部がハウジング姿勢の搬送装置を示す側断面図。
【図４】第１可動トレイ部と第２可動トレイ部が変位途中にあるときの搬送装置を示す側断面図
【図５】使用可能状態（トレイ姿勢）の搬送装置を示す側断面図。
【図６】第１可動トレイ部と第２可動トレイ部が変位途中にあるときの連動作用部周辺を拡大して示す斜視図。
【図７】第１可動トレイ部と第２可動トレイ部が使用可能状態にあるときの連動作用部周辺を拡大して示す斜視図。
【図８】搬送装置の構成を異ならせた他の実施例を示すプリンタ複合機の非使用状態の外観を示す斜視図。
【符号の説明】
【００５３】
１  搬送装置、２  プリンタ本体、３  操作パネル、５  排出用スタッカ、６  載置面、７  メモリカード挿入口、９  給送用カセット、１１  給送部、１３  排出部、１５  反転部、１７  ハウジング、１９  給送用トレイ部（第１トレイ部）、２１  給送用開口部（第１送り用開口部）、２３  排出用トレイ部（第２トレイ部）、２５  排出用開口部（第２送り用開口部）、２７  固定トレイ部、２９  第１可動トレイ部、３１  エッジガイド、３３  張出し部、３５  反転カバー、３７  自由端部、３８  基端部、３９  係止段部、４１  凹陥部、４３  第１回動支点、４５  掬い上げフック、４６  爪部、４６ａ  基部面、４６ｂ  先端、４７  固定トレイ部、４８  逃げ部、４９  第２可動トレイ部、５１  自由端部、５３  係止凹部、５５  第２回動支点、５７  ストッパ、５９  段差、１００  インクジェットプリンタ（画像記録装置）、２００  スキャナ（画像読取り装置）、３００  プリンタ複合機（画像複合処理装置）、Ｇ  原稿（被搬送材）、Ａ  画像読取り面、Ｂ  裏面、Ｃ  画像情報、Ｐ  用紙（被記録材）、Ｄ  被記録面、Ｅ  画像、Ｈ  搬送経路、Ｆ  搬送方向、Ｒ  搬送方向、Ｌ  拡開方向、Ｍ  閉塞方向、Ｎ  拡開方向、Ｑ  閉塞方向
【図１】
2009137686.tif 000003
【図２】
2009137686.tif 000004
【図３】
2009137686.tif 000005
【図４】
2009137686.tif 000006
【図５】
2009137686.tif 000007
【図６】
2009137686.tif 000008
【図７】
2009137686.tif 000009
【図８】
2009137686.tif 000010